(57)【要約】【課題】  停電時などにおいて管理装置の電源を確保しつつ、リチウムイオン二次電池の過放電による不具合を防止する。【解決手段】  少なくとも組電池３が負荷設備１０２に電力を供給する際に、組電池３から管理装置４〜６に電力を供給し、リチウムイオンセル２の電圧が負荷設備１０２への電力供給を停止すべき放電終止電圧ＶＬ１に達しても、組電池３から管理装置４〜６への電力供給を継続する。さらに、リチウムイオンセル２の電圧が放電終止電圧ＶＬ１よりも低くリチウムイオンセル２を保護するために必要な電圧である保護電圧ＶＬ３に達した場合には、組電池３から管理装置４〜６への電力供給を停止する。【選択図】  図１
2011029010.tif 000002
【特許請求の範囲】
【請求項１】
放電して負荷設備に電力を供給するリチウムイオン二次電池と、前記リチウムイオン二次電池を少なくとも監視する管理装置と、を備えたリチウムイオン二次電池システムであって、
少なくとも前記リチウムイオン二次電池が前記負荷設備に電力を供給する際に、前記リチウムイオン二次電池から前記管理装置に電力を供給し、前記リチウムイオン二次電池の電圧が前記負荷設備への電力供給を停止すべき放電終止電圧に達しても、前記リチウムイオン二次電池から前記管理装置への電力供給を継続し、前記リチウムイオン二次電池の電圧が前記放電終止電圧よりも低く前記リチウムイオン二次電池を保護するために必要な電圧である保護電圧に達した場合に、前記リチウムイオン二次電池から前記管理装置への電力供給を停止するように、前記リチウムイオン二次電池と前記管理装置とが接続されている、
ことを特徴とするリチウムイオン二次電池システム。
【請求項２】
前記リチウムイオン二次電池はフロート充電運用され、
前記リチウムイオン二次電池がフロート充電時においては、フロート充電の充電源から前記管理装置に電力を供給するように、前記充電源と前記管理装置とが接続されている、ことを特徴とする請求項１に記載のリチウムイオン二次電池システム。
【請求項３】
放電して負荷設備に電力を供給するリチウムイオン二次電池を少なくとも監視する管理装置への電力供給方法であって、
少なくとも前記リチウムイオン二次電池が前記負荷設備に電力を供給する際に、前記リチウムイオン二次電池から前記管理装置に電力を供給し、前記リチウムイオン二次電池の電圧が前記負荷設備への電力供給を停止すべき放電終止電圧に達しても、前記リチウムイオン二次電池から前記管理装置への電力供給を継続し、前記リチウムイオン二次電池の電圧が前記放電終止電圧よりも低く前記リチウムイオン二次電池を保護するために必要な電圧である保護電圧に達した場合に、前記リチウムイオン二次電池から前記管理装置への電力供給を停止する、
ことを特徴とする管理装置への電力供給方法。
【発明の詳細な説明】
【技術分野】
【０００１】
この発明は、リチウムイオン二次電池を監視などする管理装置を備えたリチウムイオン二次電池システムおよび、この管理装置への電力供給方法に関する。
【背景技術】
【０００２】
例えば、鉛蓄電池（セル）を複数接続した組電池に対して、各鉛蓄電池の状態や組電池全体の状態を監視、解析する管理装置が知られている（例えば、特許文献１参照。）。また、近年、鉛蓄電池などに比べてエネルギー密度が高い、自己放電量が少ない、などという利点を有するリチウムイオン二次電池が、自動車用蓄電池や電気・電子機器用蓄電池などとして広く使用されている。このような鉛蓄電池やリチウムイオン二次電池などでは、その特性、容量および放電電流などに応じて、放電を終了させるべき仕様上の放電終止電圧が規定、設定され、この放電終止電圧で放電を終了させることで、電池の過放電を防止して、電池を適正に運用できるようになっている。
【先行技術文献】
【特許文献】
【０００３】
【特許文献１】特開２０００−０４８８６１号公報
【発明の概要】
【発明が解決しようとする課題】
【０００４】
ところで、商用電源からの電力供給が停止する停電時などにおいて、上記のような管理装置の電源を確保するために、電池から管理装置に電力を供給することが望ましい。しかしながら、地震などの災害によって商用電源の復旧に長時間を要する場合や、管理装置の設置場所に赴いて管理装置を停止できない場合などには、長時間にわたって電池から管理装置に電力が供給されることが想定される。このような場合、電池の電圧が放電終止電圧を超え、さらに低い電圧まで電池が放電する。つまり、電池が過放電状態となり、その後に回復充電を行っても電池が回復、充電されない場合が生じる。
【０００５】
殊に、リチウムイオン二次電池では、ある一定の電圧まで過放電すると、正極のコバルトが溶出したり、陰極（負極）の集電体の銅が溶出したりして、二次電池として機能しなくなり、さらには異常発熱に至るおそれがある。このため、電池から管理装置に電力を供給する場合に、特にリチウムイオン二次電池では、いつ電池から管理装置に電力を供給し、どの程度まで電池を放電させるかを適正に規制、制御する必要があると、本出願人は考えるに至った。
【０００６】
そこでこの発明は、停電時などにおいて管理装置の電源を確保しつつ、リチウムイオン二次電池の過放電による不具合を適正に防止することが可能なリチウムイオン二次電池システムおよび管理装置への電力供給方法を提供することを目的とする。
【課題を解決するための手段】
【０００７】
上記目的を達成するために請求項１に記載の発明は、放電して負荷設備に電力を供給するリチウムイオン二次電池と、前記リチウムイオン二次電池を少なくとも監視する管理装置と、を備えたリチウムイオン二次電池システムであって、少なくとも前記リチウムイオン二次電池が前記負荷設備に電力を供給する際に、前記リチウムイオン二次電池から前記管理装置に電力を供給し、前記リチウムイオン二次電池の電圧が前記負荷設備への電力供給を停止すべき放電終止電圧に達しても、前記リチウムイオン二次電池から前記管理装置への電力供給を継続し、前記リチウムイオン二次電池の電圧が前記放電終止電圧よりも低く前記リチウムイオン二次電池を保護するために必要な電圧である保護電圧に達した場合に、前記リチウムイオン二次電池から前記管理装置への電力供給を停止するように、前記リチウムイオン二次電池と前記管理装置とが接続されている、ことを特徴とする。
【０００８】
この発明によれば、リチウムイオン二次電池から負荷設備に電力を供給する際には、リチウムイオン二次電池から管理装置にも電力が供給され、リチウムイオン二次電池の電圧が放電終止電圧に達すると、負荷設備への電力供給が停止される一方、管理装置への電力供給は継続される。さらに、リチウムイオン二次電池の電圧が保護電圧に達すると、管理装置への電力供給が停止される。
【０００９】
請求項２に記載の発明は、請求項１に記載のリチウムイオン二次電池システムにおいて、前記リチウムイオン二次電池はフロート充電運用され、前記リチウムイオン二次電池がフロート充電時においては、フロート充電の充電源から前記管理装置に電力を供給するように、前記充電源と前記管理装置とが接続されている、ことを特徴とする。
【００１０】
この発明によれば、リチウムイオン二次電池のフロート充電時には、フロート充電の充電源からリチウムイオン二次電池と管理装置とに電力が供給され、リチウムイオン二次電池から負荷設備に電力を供給する際には、リチウムイオン二次電池から管理装置に電力が供給される。
【００１１】
請求項３に記載の発明は、放電して負荷設備に電力を供給するリチウムイオン二次電池を少なくとも監視する管理装置への電力供給方法であって、少なくとも前記リチウムイオン二次電池が前記負荷設備に電力を供給する際に、前記リチウムイオン二次電池から前記管理装置に電力を供給し、前記リチウムイオン二次電池の電圧が前記負荷設備への電力供給を停止すべき放電終止電圧に達しても、前記リチウムイオン二次電池から前記管理装置への電力供給を継続し、前記リチウムイオン二次電池の電圧が前記放電終止電圧よりも低く前記リチウムイオン二次電池を保護するために必要な電圧である保護電圧に達した場合に、前記リチウムイオン二次電池から前記管理装置への電力供給を停止する、ことを特徴とする。
【発明の効果】
【００１２】
請求項１および３に記載の発明によれば、商用電源の停電などにより、リチウムイオン二次電池から負荷設備に電力を供給する際には、リチウムイオン二次電池から管理装置にも電力が供給されるため、管理装置の電源を確保することができる。また、リチウムイオン二次電池の電圧が放電終止電圧に達して、負荷設備への電力供給が停止されても、管理装置への電力供給は継続されるため、管理装置の電源を確保してリチウムイオン二次電池の監視等を継続することができる。さらに、リチウムイオン二次電池の電圧が保護電圧に達すると、管理装置への電力供給が停止されるため、リチウムイオン二次電池の過放電による不具合を適正、確実に防止することが可能となる。
【００１３】
請求項２に記載の発明によれば、リチウムイオン二次電池のフロート充電時には、フロート充電の充電源から管理装置に電力が供給されるため、リチウムイオン二次電池の容量を消費することなく、管理装置の電源を確保することができる。
【図面の簡単な説明】
【００１４】
【図１】この発明の実施の形態に係るリチウムイオン二次電池システムを整流装置に適用した状態を示す概略構成図である。
【図２】図１のシステムのセルコントローラを示す概略構成図である。
【図３】図１のシステムの組電池管理ユニットを示す概略構成ブロック図である。
【図４】図１のシステムの放電時の処理、作用を示すフローチャートである。
【図５】図４の続きを示すフローチャートである。
【発明を実施するための形態】
【００１５】
以下、この発明を図示の実施の形態に基づいて説明する。
【００１６】
図１は、この発明の実施の形態に係るリチウムイオン二次電池システム１を整流装置に適用した状態を示す概略構成図である。このリチウムイオン二次電池システム１は、放電して負荷設備１０２に電力を供給する単電池であるリチウムイオンセル（リチウムイオン二次電池）２が、複数直列に接続されて組電池３が構成され、この組電池３を監視、管理する管理装置を備える。ここで、組電池３は、フロート充電で使用・運用され、通常時は常に充電状態となっている。
【００１７】
管理装置は、主として、セルコントローラ４と、組電池管理ユニット５と、監視装置６とを備えている。また、この実施の形態では、６〜１３個程度のリチウムイオンセル２を直列に接続して組電池３が構成され、このような組電池３が、並列に接続された充電スイッチ７１および放電スイッチ７２を介して、交流直流変換器１０１と負荷設備１０２との間に接続されている。
【００１８】
セルコントローラ４は、各リチウムイオンセル２の電圧や温度などのセル状態を測定、監視するとともに、各リチウムイオンセル２の充電電圧が所定値内になるように調整するものである。具体的には、図２に示すように、各リチウムイオンセル２に配設された測定調整部４１と、各測定調整部４１と通信可能に接続されたモジュール管理部４２とを備えている。測定調整部４１は、リチウムイオンセル２の電圧（充電中の電圧、放電中の電圧）や温度、後述するバイパス回路部に流れるバイパス電流などを測定する測定器部と、充電電流をバイパスさせるとともにリチウムイオンセル２を放電させるバイパス回路部とを備えている。そして、測定器部で測定されたリチウムイオンセル２の充電電圧が所定電圧よりも高い場合に、バイパス回路部によって充電電流のバイパスとセル２の放電とを行って電圧を下げ、充電電圧を所定電圧内に調整するようになっている。また、モジュール管理部４２は、各測定調整部４１を制御するとともに、各測定調整部４１で測定されたリチウムイオンセル２の電圧や温度などのセル状態を、リアルタイムに組電池管理ユニット５に送信する機能を備えている。
【００１９】
組電池管理ユニット５は、セルコントローラ４から受信したセル状態を解析するとともに、組電池３の充電電流や放電電流、総電圧などの組電池状態を監視、解析するものである。具体的には、図３に示すように、主として、計測器群５１と、通信部５２と、入力部５３と、警報部５４と、制御部５５と、これらを制御などする中央処理部５６とを備えている。
【００２０】
計測器群５１は、組電池３の充電電流や放電電流を計測する電流計や、組電池３の総電圧（充電中の電圧、放電中の電圧）を計測する電圧計などの計器から構成されている。通信部５２は、セルコントローラ４および監視装置６とデータ通信を行うための通信インターフェイスであり、セルコントローラ４からセル状態などを受信したり、セル状態や組電池状態などを監視装置６に送信したりするものである。入力部５３は、中央処理部５６で後述するようにして解析、処理するための判断基準値（閾値）、具体的には、リチウムイオンセル２の仕様容量や許容温度および、組電池３の許容最大放電電流Ｉｄや後述する保護電圧ＶＬ２、ＶＬ３などを入力、設定するものである。なお、これらの値は、予め設定、入力しておいてもよい。
【００２１】
警報部５４は、中央処理部５６によってリチウムイオンセル２の異常あるいは組電池３全体の異常などと判断された場合に、警報を発するものであり、ＬＥＤランプや警報ブザーなどで構成されている。また、リチウムイオンセル２が異常の場合には、該当するリチウムイオンセル２を表示するようになっている。制御部５５は、中央処理部５６による後述するような解析・処理結果に基づいて、充電スイッチ７１や放電スイッチ７２などに制御信号（開閉信号）を送信するものである。
【００２２】
中央処理部５６は、セルコントローラ４から受信したセル状態や、計測器群５１で計測された組電池状態などに基づいて、警報部５４の制御、制御部５５（スイッチ７１、７２、８１、８２）およびセルコントローラ４への指令送信などを行うものである。具体的には、後述するようにリチウムイオン二次電池システム１が作用、動作し、後述する管理装置への電力供給が行われるように、処理を行う。
【００２３】
充電スイッチ７１は、組電池３をフロート充電する充電源と組電池３との接続を接離するスイッチである。すなわち、図１に示すように、商用電源１００からの電力が交流直流変換器１０１で直流に変換され、充電スイッチ７１を介して組電池３に供給されるようになっている。この充電スイッチ７１は、通常、オン（接続）状態となっている。
【００２４】
放電スイッチ７２は、組電池３から電力を供給される負荷設備１０２と組電池３との接続を接離するスイッチである。すなわち、組電池３からの電力が、放電スイッチ７２を介して負荷設備１０２に供給されるようになっている。この放電スイッチ７２は、直列に接続されたスイッチ本体７２１とダイオード７２２とから構成され、ダイオード７２２は、組電池３からの電流の流れのみを許容する機能を有する。そして、通常時はスイッチ本体７２１がオン状態で、組電池３からの放電が常時可能であり、放電スイッチ７２を介して組電池３には電力が供給されないようになっている。
【００２５】
これらの充電スイッチ７１と放電スイッチ７２とは、組電池管理ユニット５によって制御されるようになっている。すなわち、上記のように、組電池管理ユニット５の中央処理部５６による解析・処理結果に基づき、制御部５５から制御信号が送信されると、これを受けて充電スイッチ７１および放電スイッチ７２が開閉するものである。
【００２６】
監視装置６は、組電池管理ユニット５からセル状態や組電池状態、および中央処理部５６による解析・処理結果などを受信、収集し、これらのデータを蓄積する装置である。また、この監視装置６は、蓄積したデータを出力（表示、印刷等）したり、集計したりする機能を備えている。さらに、監視装置６は、ＬＡＮ回線、公衆回線等を利用してデータを遠隔地の監視センタ等に転送できる機能を備えている。
【００２７】
以上のようなセルコントローラ４、組電池管理ユニット５および監視装置６には、組電池３がフロート充電時においては、フロート充電の充電源から電力が供給され、組電池３から負荷設備１０２に電力を供給する際には、組電池３から電力が供給されるようになっている。すなわち、組電池３と並列に直流直流変換器８が接続され、この直流直流変換器８に対してセルコントローラ４、組電池管理ユニット５および監視装置６が並列に接続されている。直流直流変換器８は、交流直流変換器１０１および組電池３からの直流電力をセルコントローラ４などに適した直流電力に調整する変換器であり、セルコントローラ４と組電池管理ユニット５は第１のスイッチ８１を介して接続され、監視装置６は第１のスイッチ８１と第２のスイッチ８２を介して接続されている。そして、後述するようにして、中央処理部５６によってスイッチ８１、８２が開閉され、フロート充電時には商用電源１００から電力が供給され、停電時には組電池３から電力が供給されるようになっている。
【００２８】
次に、このような構成のリチウムイオン二次電池システム１の作用、動作および、管理装置への電力供給方法について、説明する。
【００２９】
まず、組電池３のフロート充電時では、充電スイッチ７１と放電スイッチ７２および第１のスイッチ８１と第２のスイッチ８２が、すべてオン（閉）状態となっており、商用電源１００から電力が、交流直流変換器１０１および充電スイッチ７１を介して組電池３に供給される。同時に、商用電源１００から電力が、交流直流変換器１０１、充電スイッチ７１、直流直流変換器８および第１のスイッチ８１を介してセルコントローラ４と組電池管理ユニット５に供給され、さらに第２のスイッチ８２を介して監視装置６に供給される。また、負荷設備１０２には、商用電源１００からの電力が交流直流変換器１０１を介して供給される。
【００３０】
次に、商用電源１００からの電力供給が停止（停電）すると、組電池３が放電を開始し、組電池３から放電スイッチ７２を介して電力が負荷設備１０２に供給される。同時に、直流直流変換器８と第１のスイッチ８１を介して、組電池３からセルコントローラ４と組電池管理ユニット５に電力が供給され、さらに第２のスイッチ８２を介して監視装置６に電力が供給される。
【００３１】
このような放電モードでは、図４、５に示すように、まず、組電池管理ユニット５の中央処理部５６において、充電電流がゼロ以上であるか否かが判断され（ステップＳ１）、充電電流がゼロ以上の場合、つまり商用電源１００が回復して組電池３に電力が供給された場合には、充電モードに移り、上記のようなフロート充電が行われる。一方、充電電流がゼロ以上でない場合、つまり放電が継続中の場合には、次の３つの要件を満たすか否かが判断される。すなわち、すべてのリチウムイオンセル２の温度が上限温度Ｔｈ℃以下であるか（ステップＳ２）、放電電流が許容最大放電電流Ｉｄ以下であるか（ステップＳ３）、各セル２の電圧が放電終止電圧ＶＬ１以上であるか（ステップＳ４）、が判断される。
【００３２】
ここで、上限温度Ｔｈ℃とは、セル２を安全に使用、運用できる上限の温度であり、許容最大放電電流Ｉｄとは、セル２の特性、仕様容量に応じて許容できる最大の放電電流である。また、放電終止電圧ＶＬ１とは、負荷設備１０２への電力供給を停止すべき仕様上の電圧であり、リチウムイオンセル２の仕様容量、放電電流などによって設定される。そして、これらの要件を満たす場合（ステップＳ２〜Ｓ４で「Ｙ」の場合）には、ステップＳ１に戻り、同様の処理を繰り返す。
【００３３】
一方、いずれかの要件を満たさない場合（ステップＳ２〜Ｓ４のいずれかで「Ｎ」の場合）、例えば、いずれかのセル２の電圧が放電終止電圧ＶＬ１よりも低下すると、中央処理部５６によって、警報部５４から警報が発生されるとともに、放電スイッチ７２のスイッチ本体７２１がオフ（開）さる。同時に、充電スイッチ７１がオフされて、負荷設備１０２への電力供給が停止される（ステップＳ５）。
【００３４】
この状態では、組電池３からセルコントローラ４、組電池管理ユニット５および監視装置６に対する、電力供給は継続される。そして、いずれかのセル２の電圧が第１の保護電圧ＶＬ２よりも低くなった場合（ステップＳ６で「Ｎ」の場合）には、中央処理部５６によって第２のスイッチ８２がオフされ、監視装置６への電力供給が停止される（ステップＳ７）。その後も、組電池３からセルコントローラ４および組電池管理ユニット５に対する、電力供給は継続される。そして、いずれかのセル２の電圧が第２の保護電圧ＶＬ３よりも低くなった場合（ステップＳ８で「Ｎ」の場合）には、中央処理部５６によって第１のスイッチ８１がオフされ、セルコントローラ４および組電池管理ユニット５への電力供給が停止される（ステップＳ９）。
【００３５】
ここで、保護電圧ＶＬ２、ＶＬ３は、放電終止電圧ＶＬ１よりも低く、第２の保護電圧ＶＬ３は、リチウムイオンセル２を保護するために必要な最低限の電圧であり、リチウムイオンセル２の特性、周囲温度などによって設定される。すなわち、リチウムイオンセル２の電圧（開放電圧）が第２の保護電圧ＶＬ３よりも低くなると、回復充電を行ってもセル２が充電されない、あるいは異常発熱を生じるなどの不具合が生じるおそれがあり、そのような電圧閾値に第２の保護電圧ＶＬ３が設定されている。また、第１の保護電圧ＶＬ２は、放電終止電圧ＶＬ１と第２の保護電圧ＶＬ３の中間の値に設定されている。このように、２つの保護電圧ＶＬ２、ＶＬ３を設け、いずれかのセル２の電圧が第１の保護電圧ＶＬ２よりも下がった場合に、監視装置６への電力供給のみを停止するのは、セルコントローラ４と組電池管理ユニット５は、組電池３を監視し、安全に運用・制御する上で重要な装置であるため、できるだけ永く起動を継続することが望ましいからである。
【００３６】
ところで、リチウムイオンセル２は、自己放電量が極めて小さいため、放電を終了すれば、その後長時間放置しても開放電圧が大きく下がることがないため、第２の保護電圧ＶＬ３で放電を停止させれば、それよりも電圧が下がることによる不具合の発生は少ない。このため、安全性を考慮して、セル２を保護するために必要な最低限の電圧よりも高い電圧に第２の保護電圧ＶＬ３を設定する必要性は少ないが、周囲環境などによっては、やや高い電圧に設定してもよい。
【００３７】
このような処理が充放電のたびに行われ、同時に、組電池管理ユニット５から監視装置６に対して、セル状態や組電池状態、解析・処理結果などが逐次送信され、監視装置６にてこれらのデータが蓄積、集計される。そして、蓄積されたデータを解析することで、二次電池システム１全体をより安全、適正に運用することが可能となるものである。
【００３８】
以上のように、このリチウムイオン二次電池システム１および管理装置への電力供給方法によれば、組電池３のフロート充電時、つまり商用電源１００の停電などがない場合には、商用電源１００から管理装置に電力が供給される。このため、組電池３の容量を消費することなく、管理装置の電源を確保することができる。一方、商用電源１００が停電した場合には、組電池３から負荷設備１０２に電力が供給されると同時に、組電池３から管理装置にも電力が供給されるため、管理装置の電源を確保することができる。
【００３９】
また、組電池３の電圧が放電終止電圧ＶＬ１に達して、負荷設備１０２への電力供給が停止されても、管理装置への電力供給は継続されるため、管理装置の電源を確保して組電池３や各セル２の監視、制御などの管理を継続することができる。さらに、いずれかのセル２の電圧が第２の保護電圧ＶＬ３よりも低くなると、管理装置全体への電力供給が停止されるため、リチウムイオンセル２の過放電による不具合を適正、確実に防止することが可能となる。
【００４０】
ここで、組電池３からの放電が継続するケースとして、地震などの災害時が想定される。すなわち、災害時には、商用電源１００の復旧に長時間を要するため、組電池３が回復充電されない状態が続き、さらに、作業員などが組電池３や管理装置の設置場所に赴いて、管理装置を停止できない状況が続く。このため、長時間にわたって組電池３から管理装置に電力が供給され続けることが想定される。そして、このような災害時でも、この実施の形態によれば、組電池３や各セル２の管理を継続しつつ、リチウムイオンセル２の過放電による不具合を適正に防止することができるものである。
【００４１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、リチウムイオン二次電池システム１を整流装置に適用する場合について説明したが、無停電電源装置（ＵＰＳ：Ｕｎｉｔｅｒｒｕｐｔｉｂｌｅ  Ｐｏｗｅｒ  Ｓｙｐｐｌｙ）や電気自動車など、その他の設備に適用することもできる。このとき、適用する設備に応じて、リチウムイオンセル２や組電池３の数などを調整する。例えば、無停電電源装置に適用する場合、上記のような組電池３を複数並列に接続し、それぞれの組電池３に対して、セルコントローラ４、組電池管理ユニット５、充・放電スイッチ７１、７２などを配設し、各組電池管理ユニット５と監視装置６とをデータ通信可能に接続して、二次電池システム１を構成する。
【００４２】
また、上記の実施の形態では、商用電源１００の停電時にのみ、つまり組電池３から負荷設備１０２への電力供給時にのみ、組電池３から管理装置に電力を供給しているが、その他のタイミングで、組電池３から管理装置に電力を供給してもよい。例えば、組電池３を電気自動車用蓄電池として使用する場合に、負荷設備である自動車への放電時のみならず、自動車の駐車時や組電池３の充電時などにおいても、組電池３から管理装置に電力を供給してもよい。また、いずれかのセル２の電圧が第２の保護電圧ＶＬ３よりも低くなった場合に第１のスイッチ８１をオフしているが、直流直流変換器８の最低駆動電圧を第２の保護電圧ＶＬ３に設定し、いずれかのセル２の電圧が第２の保護電圧ＶＬ３よりも低くなった場合に、直流直流変換器８が駆動しないようにしてもよい。これにより、第１のスイッチ８１がオンしているため、商用電源１００が復旧した際に、セルコントローラ４および組電池管理ユニット５が自動起動し、セル状態や組電池状態などのデータを保守者などに提供することができる。さらに、リチウムイオンセル２を複数接続して組電池３として使用、運用する場合について説明したが、リチウムイオンセル２を単電池として使用、運用する場合にも、適用できることは勿論である。
【符号の説明】
【００４３】
１          リチウムイオン二次電池システム
２          リチウムイオンセル（リチウムイオン二次電池）
３          組電池
４          セルコントローラ（管理装置）
５          組電池管理ユニット（管理装置）
６          監視装置（管理装置）
７１        充電スイッチ
７２        放電スイッチ
８          直流直流変換器
８１        第１のスイッチ
８２        第２のスイッチ
１００      商用電源
１０１      交流直流変換器
１０２      負荷設備
【図１】
2011029010.tif 000003
【図２】
2011029010.tif 000004
【図３】
2011029010.tif 000005
【図４】
2011029010.tif 000006
【図５】
2011029010.tif 000007